(57)【要約】【課題】簡単な構造で、目的とする目隠し効果や紫外線遮蔽効果、断熱効果が安定して得られることに加え、通気性が有利に発揮される、新規な構造のレースカーテンを提供する。【解決手段】高さ方向の上端部分に取付け部１２を備え、高さ方向の下端部分に裾部１４を備えたレースカーテン１０において、高さ方向の中央部分よりも取付け部１２の側に偏倚した位置を境界１６として、裾部１４に至る領域を下側幕部２０とし、取付け部１２に至る領域を下側幕部２０よりも編み目が大きな上側幕部１８とした。【選択図】図１
0003149899.tif 000002
【実用新案登録請求の範囲】
【請求項１】
高さ方向の上端部分に取付け部を備え、高さ方向の下端部分に裾部を備えたレースカーテンにおいて、
前記高さ方向の中央部分よりも前記取付け部の側に偏倚した位置を境界として、前記裾部に至る領域を下側幕部とし、該取付け部に至る領域を該下側幕部よりも編み目が大きな上側幕部としたことを特徴とするレースカーテン。
【請求項２】
前記上側幕部と前記下側幕部が互いに異なる生地で構成されて、該上側幕部の下端部分と該下側幕部の上端部分とが接続されることにより、かかる接続部分が前記境界に位置していることを特徴とする請求項１に記載のレースカーテン。
【請求項３】
前記上側幕部の高さ寸法：ｈ１と前記下側幕部の高さ寸法：ｈ２との比：ｈ１／ｈ２は、１／５〜１／３であることを特徴とする請求項１又は２に記載のレースカーテン。
【請求項４】
前記編み目の指標として単位面積当たりの糸の編み込み量に相当する目付け量を用い、前記上側幕部の目付け量は８０〜１２０ｇ／ｍ2とされており、前記下側幕部の目付け量は１３０〜１７０ｇ／ｍ2とされていることを特徴とする請求項１乃至３の何れか一項に記載のレースカーテン。
【請求項５】
前記上側幕部には図柄が付されていることを特徴とする請求項１乃至４の何れか一項に記載のレースカーテン。
【請求項６】
前記上側幕部と前記下側幕部の少なくとも一方は、繊維にセラミックスを含有してなる太陽光遮断糸を用いて形成されていることを特徴とする請求項１乃至５の何れか一項に記載のレースカーテン。
【請求項７】
前記上側幕部と前記下側幕部の少なくとも一方において太陽光が照射される面は、太陽光を反射するブライト糸を用いて形成されていることを特徴とする請求項１乃至６の何れか一項に記載のレースカーテン。
【考案の詳細な説明】
【技術分野】
【０００１】
本考案は、主として建物家屋の外部から内部への透光性（採光性）を有しつつ、内部が外部から見え難いように目隠しする目的で、天井側から床側に向けて吊るされるレースカーテンに関するものである。
【背景技術】
【０００２】
良く知られているように、レースカーテンは、透光性を有する生地からなる薄手の幕とされて、上端部分にフック等の取付け部を備えており、この取付け部が建物窓部の上方に設置されたレール等に取り付けられることで、窓部を覆うようにして室内に吊るされるようになっている。
【０００３】
ところで、近年、オゾン層破壊による紫外線照射量の増大や大気温度の上昇等の問題に鑑み、レースカーテンには、高い断熱効果や紫外線遮蔽率が求められている。
【０００４】
ところが、断熱効果や紫外線遮蔽率を向上させようとして、例えば、カーテンの厚さを増したり、編み目が小さい生地を使用したりすると、通気性が低下する問題があった。レースカーテンにおける通気性能の低下は、建物内部の温度上昇や換気性低下等の要因となる。
【０００５】
そこで、上記問題に対処するために、例えば、特許文献１に記載のカーテンのように、本体生地を縦方向（鉛直方向又は高さ方向）の中間部分において横方向（水平方向又は幅方向）に切断して、分離した本体生地の縦方向間に本体生地とは異種の帯状編織物を挟んで、複数の本体生地と帯状編織物とを縫い合わせることによって、断熱効果や紫外線遮蔽率に優れた部分と通気性に優れた部分とを一体的に設けることが考えられる。
【先行技術文献】
【特許文献】
【０００６】
【特許文献１】実登第３１４６２５３号公報
【考案の概要】
【考案が解決しようとする課題】
【０００７】
しかしながら、特許文献１に記載のカーテンにおいては、本体生地を一旦分離して、それらの間に帯状編織物を挟み込み、各一方の本体生地と帯状編織物とをそれぞれ縫着させることから、製造作業が面倒になるだけでなく、丈が長くなってしまって、カーテンが取り付けられる箇所またはカーテン自体の寸法が制限され易くなる問題があった。
【０００８】
しかも、上記カーテンは同種の本体生地の縦方向間にそれとは異種の帯状編織物を挟んだ構成とされていることによって、カーテンに風が当たった際に、本体生地と帯状編織物との通気性能の違いから、一対の本体生地と帯状編織物との何れか一方が他方に比して大きく膨らんでしまい、カーテンの縦断面が波打つような形状となり易かった。
【０００９】
このようにカーテンの縦断面に波打つ形状が発現すると、一般に、カーテンにおいて窓部に対して横方向の開閉を容易にするために複数設けられた縦方向に延びる皺または折り目のようなものが、波打ち状になって、複数の曲げ部を有することとなり、カーテンに大きな歪みが残る可能性があった。
【００１０】
その結果、カーテンの形状が歪んで、窓部とカーテンの間に隙間が生じ易くなり、目的とする目隠し効果や紫外線遮蔽効果、断熱効果が十分に発揮され難くなるおそれがあった。
【００１１】
本考案は、上述の如き事情を背景として為されたものであって、その解決課題とするところは、簡単な構造で、目的とする目隠し効果や紫外線遮蔽効果、断熱効果が安定して得られることに加え、通気性が有利に発揮される、新規な構造のレースカーテンを提供することにある。
【課題を解決するための手段】
【００１２】
かかる課題を解決するためになされた請求項１に記載の考案は、高さ方向の上端部分に取付け部を備え、高さ方向の下端部分に裾部を備えたレースカーテンにおいて、前記高さ方向の中央部分よりも前記取付け部の側に偏倚した位置を境界として、前記裾部に至る領域を下側幕部とし、該取付け部に至る領域を該下側幕部よりも編み目が大きな上側幕部としたことを特徴とする。
【００１３】
このような本考案のレースカーテンでは、下側幕部と下側幕部よりも編み目が大きな上側幕部とが組み合わされるという簡単な構成をとりつつ、上側幕部において通気効果が有利に発揮されると共に、下側幕部において紫外線遮蔽効果や断熱効果が十分に確保される。
【００１４】
特に、上側幕部は、カーテンの高さ方向中央部分よりも上側に設けられて、且つカーテンの取付け部を含む領域とされていることから、取付け部を建物等に取り付けた際の支持強度を利用して、上側幕部の形状安定性が高くなる。
【００１５】
一方、下側幕部は、カーテンの高さ方向中央部分や裾部を含む広い領域とされて、紫外線遮蔽効果や断熱効果に有効な面積が大きく確保されると共に、重力作用が好適に得られる。
【００１６】
従って、本考案のレースカーテンによれば、比較的に強い風が当たったとしても、局所的に大きな変形が抑えられて、窓部を安定して覆うことが出来るのであり、その結果、目隠し効果や紫外線遮蔽効果、断熱効果、通気効果が効果的に得られるのである。
【００１７】
なお、上側幕部と下側幕部は、例えば、特許第３３２８１４４号公報や特開２０００−２０１８０２号公報等に示されているように、一つの生地に別の生地を部分的に重ね合わせることによって構成されても良いが、好ましくは、本考案の請求項２に記載の構成が採用される。
【００１８】
つまり、本考案の請求項２に記載のレースカーテンでは、前記上側幕部と前記下側幕部が互いに異なる生地で構成されて、該上側幕部の下端部分と該下側幕部の上端部分とが接続されることにより、かかる接続部分が前記境界に位置していることを特徴とする。
【００１９】
これにより、上側幕部と下側幕部が、異なる生地同士の組み合わせで簡単に製造されることに加え、生地の重ね合わせによる重量増加が回避されることによって、耐久性が確保されると共に、カーテンの開閉操作がスムーズになる。
【００２０】
なお、上側幕部と下側幕部は、縫合により接続されても良く、或いはボタンやフック等で着脱可能に接続されても良い。特に、着脱可能とすることで、上側幕部と下側幕部を用途に応じて適宜に組み合わせることが可能となる。
【００２１】
また、本考案の請求項３に記載のレースカーテンにおいては、前記上側幕部の高さ寸法：ｈ１と前記下側幕部の高さ寸法：ｈ２との比：ｈ１／ｈ２は、１／５〜１／３であることを特徴とする。
【００２２】
ｈ１／ｈ２が１／５よりも小さくなる場合には、カーテンにおいて下側幕部の占める割合が大きくなり過ぎて、上側幕部による通気性が十分に確保され難くなる。一方、ｈ１／ｈ２が１／３よりも大きくなる場合には、カーテンにおいて上側幕部の占める割合が大きくなり過ぎて、断熱効果や紫外線遮蔽効果が十分に得られなくなる可能性がある。従って、本考案の範囲が好適である。
【００２３】
また、本考案の請求項４に記載のレースカーテンは、前記編み目の指標として単位面積当たりの糸の編み込み量に相当する目付け量を用い、前記上側幕部の目付け量は８０〜１２０ｇ／ｍ2とされており、前記下側幕部の目付け量は１３０〜１７０ｇ／ｍ2とされていることを特徴とする。
【００２４】
すなわち、本考案者等が実用的に優れた通気効果や断熱効果、紫外線遮蔽効果について多くの実験と検討を加えたところ、上側幕部と下側幕部をそれぞれ本考案の如き目付け量に設定することにより、上記効果が好適に得られることが判明したのである。
【００２５】
また、本考案の請求項５に記載のレースカーテンでは、前記上側幕部には図柄が付されていることを特徴とする。上側幕部の編み目が比較的に大きいことから、花柄等の図柄を容易に付すことが可能となり、それによって、簡単な構造で、カーテンのデザイン性が向上されるという利点を有する。
【００２６】
また、本考案の請求項６に記載のレースカーテンにおいては、前記上側幕部と前記下側幕部の少なくとも一方は、繊維にセラミックスを含有してなる太陽光遮断糸を用いて形成されていることを特徴とする。これにより、セラミックスの紫外線遮蔽作用により、レースカーテンの紫外線遮蔽効果が一層向上される。
【００２７】
また、本考案の請求項７に記載のレースカーテンでは、前記上側幕部と前記下側幕部の少なくとも一方において太陽光が照射される面は、太陽光を反射するブライト糸を用いて形成されていることを特徴とする。これにより、ブライト糸の太陽光反射作用により、断熱効果や紫外線遮蔽効果等が一層向上される。
【図面の簡単な説明】
【００２８】
【図１】本考案の一実施形態としてのレースカーテンの正面図。
【図２】図１のＩＩ−ＩＩ断面を拡大して概略的に示す横断面図。
【図３】同レースカーテンの作用効果について確認するために行った一実験結果を示すグラフ。
【図４】同レースカーテンの作用効果について確認するために行った図３と異なる実験結果を示すグラフ。
【考案を実施するための形態】
【００２９】
以下に、本考案を具体化した実施形態について、図面を参照しつつ説明する。図１には、本考案の一実施形態としてのレースカーテン１０が示されている。レースカーテン１０は、透光性や可撓性を有する薄手の幕とされて、図示しない建物窓部よりも大きな寸法を有しており、室内の窓部上方に設置されたカーテンレールに吊り下げられることによって、窓部を覆うようになっている。
【００３０】
詳細には、レースカーテン１０は、正面視略矩形状を有しており、その高さ方向（図１中、上下）の上端部分が幅方向（図１中、左右）の全体に亘って取付け部１２とされていると共に、下端部分が幅方向の全体に亘って裾部１４とされている。
【００３１】
取付け部（タック部分）１２は、図示しない公知のカーテンフックが幅方向に所定の間隔で複数設けられることにより、カーテンレールに対して取付け可能とされている。裾部１４は、カーテン１０の下端部分を折り曲げて縫合されることにより、中間部分に比して厚くされている。
【００３２】
レースカーテン１０の高さ方向中央部分よりも取付け部１２側に偏倚した位置には、幅方向に直線状に延びる境界１６が設けられており、この境界１６から取付け部１２に至る領域が上側幕部１８とされていると共に、境界１６から裾部１４に至る領域が下側幕部２０とされている。
【００３３】
すなわち、下側幕部２０の丈（高さ寸法）が、上側幕部１８の丈に比して長くされている。上側幕部１８の丈：ｈ１と下側幕部２０の丈：ｈ２との比：ｈ１／ｈ２は、好適には１／５〜１／３とされ、より好適には略１／４とされている。
【００３４】
上側幕部１８と下側幕部２０は、互いに異なる生地からなり、境界１６において公知のオーバーロック方式等の縫合法により互いに縫着されている。
【００３５】
上側幕部１８は、ポリエステル繊維を素材として編成した薄手の経編レース地２２からなり、花柄や動物柄等の図柄を付している。経編レース地２２には、例えば、ユニチカサラクール（ユニチカ株式会社の商標）等のセラミックス入りのポリエステル繊維からなる糸、いわゆる太陽光遮断糸が好適に用いられる。
【００３６】
下側幕部２０は、図２にも示されているように、上側幕部１８と同様に経編レース地２２からなることに加え、この経編レース地２２の窓部と対向する面側において、太陽光を反射する異形断面のポリエステル繊維からなるブライト糸２４が編み込まれ、または当該ブライト糸２４からなる生地が貼り付けられている。即ち、下側幕部２０は、室内外部から内部への太陽光を積極的に反射するカーテン、いわゆるミラーレースカーテンと同等な機能を有する。
【００３７】
ここで、上側幕部１８の目付け量は８０〜１２０ｇ／ｍ2とされていると共に、下側幕部２０の目付け量は１３０〜１７０ｇ／ｍ2とされていることによって、上側幕部１８の編み目が、下側幕部２０の編み目に比して大きくされている。
【００３８】
上述の如き構成のレースカーテン１０においては、編み目の異なる生地を繋ぎ合わせて上側幕部１８と下側幕部２０を構成し、この上側幕部１８を、下側幕部２０よりも編み目の大きな生地で構成して、カーテンレールに直接に取り付けるようにしたことから、上側幕部１８が取付け部１２のカーテンレールへの支持強度を利用して高い形状安定性を備えて、通気性能が有利に発揮され得る。
【００３９】
また、下側幕部２０は、丈、目付け量、経編レース地２２にブライト糸を加えた重量の点で、上側幕部２２よりも大きくされていることにより、重力作用に基づく形状安定性が十分に得られる。
【００４０】
それ故、本実施形態のレースカーテン１０によれば、比較的に強い風が当たったとしても、局所的に大きな変形が抑えられて、窓部を安定して覆うことが出来るのであり、その結果、目隠し効果や紫外線遮蔽効果、断熱効果、通気効果が効果的に得られるのである。
【００４１】
以上、本考案の一実施形態について詳述してきたが、かかる実施形態における具体的な記載によって、本考案は、何等限定されるものでなく、当業者の知識に基づいて種々なる変更、修正、改良等を加えた態様で実施可能である。また、そのような実施態様が本考案の趣旨を逸脱しない限り、何れも、本考案の範囲内に含まれるものであることは、言うまでもない。
【００４２】
例えば、上側幕部１８や下側幕部２０における形状や大きさ、構造等の各種態様は、要求される通気効果や断熱効果、紫外線遮蔽効果、製造コスト等に応じて適宜に設定変更されるものであり、例示の如き態様に限定されない。
【００４３】
また、前記実施形態では、レースカーテン１０が、建物窓部を覆う幕として採用されていたが、室内乃至は屋内の空間等を仕切る幕として利用されても良い。
【００４４】
次に、本考案が適用された前記実施形態におけるレースカーテン１０の作用効果を確認するために行った実験について説明する。
【００４５】
［透光性試験］
レースカーテン１０において、ユニチカサラクールを用いた経編レース地２２からなる目付け量１００ｇ／ｍ2の上側幕部１８と、経編レース地２２および異形断面ブライト糸２４からなる目付け量１５３ｇ／ｍ2の下側幕部２０とを、それぞれＪＩＳ  L１９０６に準拠するボーケン法に従い、照度１０００ルクス（ｌｘ）に調光して透光率（％）を測定した。その結果、下側幕部２０は１５．９０％であり、上側幕部１８は４８．９３％であった。
【００４６】
［防透視性試験］
上記ボーケン法に従い、透光性試験の下側幕部２０と同じ生地からなる試料を視力検査表（表面照度５００ルクス）の前面に取り付けて、２ｍ離れた位置から投光機の光度を上げ、判定員が投光機の後から視力検査表「Ｃ０．２」の３つの内２つ以上が読み取れなくなる試料外側面の照度、いわゆる防透視性を測定した。その結果、試料の防透視性が７ルクス以下であった。
【００４７】
［紫外線遮蔽性試験］
公知の紫外線遮蔽性能測定方法に準拠して（バンドパスフィルター有り）、透光性試験の下側幕部２０と同じ生地からなる試料を、（株）島津製作所製の紫外可視分光光度計ＵＶ−２４００ＰＣに積分球付属装置ＩＳＲ−２２００を取り付けた実験装置に対して取り付けて、紫外線遮蔽率（％）を測定した。その結果、試料における紫外線Ａ波（３１５〜４００ｎｍ）の遮蔽率が８９．４％であり、紫外線Ｂ波（２８０〜３１５ｎｍ）の遮蔽率が９２．３％であり、紫外線全体（２８０〜４００ｎｍ）の遮蔽率が９０．３％であった。
【００４８】
［断熱性試験］
公知のランプ法に準拠して、透光性試験の下側幕部２０と同じ生地からなり、且つ大きさが５０ｃｍ×７０ｃｍ以上の試料を吊るし、試料の一方の面から約３０ｃｍ離れたところに赤外ランプ（３７５Ｗ）を設置し、試料の他方の面から８ｃｍ離れたところにブラックパネルとビーカに水１００ｍｌを入れたものとを設置する。
【００４９】
そして、試料に赤外ランプを所定時間照射した際のブラックパネルと水における各時間毎の温度を測定した。ブラックパネルの測定結果を実施例として、図３に「Ａ−１」で示す。水の測定結果を実施例として、図４に「Ａ−１」で示す。なお、赤外ランプを照射する前のブラックパネルの初期温度は２４．６℃であり、水の初期温度は常温である。
【００５０】
また、実施例の測定結果と比較するための比較例として、試料を設置せずに、実施例と同様にブラックパネルと水の温度を測定した結果を、それぞれ図３、図４に「空試験」で示す。更に、別の比較例として、セラミックスを含有していない通常のポリエステル繊維からなる糸で編み込まれ、大きさが５０ｃｍ×７０ｃｍ以上の比較試料を用意して、実施例と同様に設置して、ブラックパネルと水の温度を測定した。それらの結果を、別の比較例として、それぞれ図３、図４に「ノーマル」で示す。
【００５１】
上述の透光性試験と防透視性試験の結果からも、本考案のレースカーテン１０によれば、実用的な透光性（採光性）と目隠し性が得られることが認められる。
【００５２】
また、上述の紫外線遮蔽線試験と断熱性試験の結果からも、レースカーテン１０の下側幕部２０だけで紫外線遮蔽効果や断熱効果が十分に得られることが、明らかである。
【００５３】
つまり、本考案のレースカーテン１０では、上側幕部１８において通気性が十分に確保されていることから、下側幕部２０において通気性確保を特別に配慮することなく、紫外線遮蔽効果や断熱効果に最適な材質を選び出すことができる。それ故、目隠し効果や断熱効果、紫外線遮蔽効果に加え、通気効果に優れたレースカーテンが提供される。
【符号の説明】
【００５４】
１０…レースカーテン、１２…取付け部、１４…裾部、１６…境界、１８…上側幕部、２０…下側幕部、２２…経編レース地、２４…ブライト糸
【図１】
0003149899.tif 000003
【図２】
0003149899.tif 000004
【図３】
0003149899.tif 000005
【図４】
0003149899.tif 000006